(57)【要約】【課題】  車椅子に座ったまま、天井に当たることなくワンボックスカーに乗り込む。【解決手段】  後部両側を大径後車輪５、前部両側を小径前車輪６で支持する車椅子において、ロック機能を備えたチルトロック８でガイドプレート９に沿ってスライドするスライドボックス１０を上下させることにより、直接車椅子の高さを調節する。【選択図】  図１
2005161001.tif 000002
【特許請求の範囲】
【請求項１】
主フレーム１、２、３及び補助フレーム４の後部両側を大径後車輪５、５で、前部を小径前車輪６、６で支持し、座部１７を備え、フレーム及び座部１７の高さを調節可能な車椅子であって、主フレーム３の後部には上下で固定されたガイドプレート９が取り付けられ、該ガイドプレート９を囲み、上下に自由にスライドできるスライドボックス１０には、ロック機能を備えたチルトロック８を連結し、該チルトロック８が伸びると、スライドボックス１０に取り付けられた大径後車輪５、５を回転保持する枢軸１１、１１が下に移動することにより座部７が押し上げられ上昇し、逆にチルトロック８が縮むと座部１７が下降するよう構成させた車椅子。
【請求項２】
スライドボックス１０を上下にスライドさせるチルトロック８同様の機能を有し、遠隔操作によって長さ保持のロック解除手段を有する、同形態のガススプリングを請求項１同様取り付けた車椅子。
【請求項３】
主フレーム３に背凭れ１８と、補助フレーム４の先の下向き延長部１５には足載せ台１６が設けられている請求項１乃至２記載の車椅子。
【発明の詳細な説明】
【技術分野】
【０００１】  本発明は、座部の高さを調節できる車椅子に関するものである。
【背景技術】
【０００２】  車椅子の使用者が車椅子に座ったまま、リフト等によってワンボックスカーに乗り込むことができれば、車椅子使用者及び介護者の労力が省ける。しかし、現状の一般のワンボックスカーでは、使用者を車椅子に座らせたままワンボックスカーに載せると、使用者の頭がワンボックスカーの天井に当たってしまう。ワンボックスカーの天井を高くすることは、ボディサイズのランクアップにより自動車税の負担増を招来する。また、車椅子の座部を低くすることは、手回しホイールの操作性、足載せ台との関係上、大きな制約を受けるため実現できない。【０００３】  そこで、本発明は車椅子の座部の高さを調節できるよう構成させ、ワンボックスカーに乗り込む場合には座部の高さを低く調節し、車椅子を道路上で使用する場合には座部を高く調節できるものにするにはどうしたらよいかについて種々検討を重ねてきた結果、本発明に到達したのである。
【特許文献１】特開２００１−２５８９４７号広報
【特許文献２】特開２００３−２７５２５２号広報
【特許文献３】特開２００３−２３０６０１号広報
【発明の開示】
【発明が解決しようとする課題】
【０００４】  本発明は、このような実情に鑑みなされたもので、その解決しようとする課題は、車椅子使用者が車椅子に座ったまま、ワンボックスカーの天井に頭部が当たることなく乗り込めるようにすることである。
【課題を解決するための手段】
【０００５】  そこで、本発明は上述した課題を解決するためになされたものであって、その目的は簡単な構成でありながら、操作性よく、しかも確実に座部の高さが調節できる車椅子を提供することにある。【０００６】  上述した目的を達成するため本発明は、主フレーム１、２、３、及び補助フレーム４の後部両側を大径後車輪５、５と前部両側を小径前車輪６、６で支持し、主フレーム３の後部に上下で固定されたガイドプレート９を囲み、上下に自由にスライドできるスライドボックス１０に、ロック機能を備えたチルトロック８を連結構成し、チルトロック８が伸びると座部７が上昇し、逆にチルトロック８が縮むと座部１７が下降する。該チルトロックには、遠隔操作によって長さ保持のロックを解除する解除手段２９を連結して構成されている。
【発明の効果】
【０００７】  本発明は、以上詳述した如く構成させたにで、車椅子で道路を移動する際には、車椅子のフレーム即ち座部７を高くした状態で使用する。通常の車椅子と同様に使用者が手回しホイール７を回して走行できる。使用者を車椅子に載せたまま、ワンボックスカーに載せるには、まず介護者が遠隔操作によってチルトロック８のロックを解除する。使用者の体重がチルトロック８を縮める様に作用してチルトロック８は縮み、座部１７が下降する。上記状態で使用者を載せたまま車椅子をワンボックスカーに載せても、使用者の頭がワンボックスカーの天井に当たることはない。
【発明を実施するための最良の形態】
【０００８】  次に、本発明を図面に示した実施の形態について説明すると、図１乃至図４に示すように、車椅子のフレーム全体を後部両側の大径後車輪５、５と前部を小径前車輪６、６で支持し、後車輪５、５の外側には該後車輪５と一体に回転する手回しホイール７が取り付けられている。【０００９】  補助フレーム４、４の延長部１５、１５前端には、キャスター式の小径前車輪６、６が設けられ、前車輪６と後車輪５が地面に接することによって主フレーム１は地面と略平行となる。【００１０】  座部１７は、補助フレーム４、４に跨がって取り付けられ、補助フレーム４、４は前部に下向き延長部１５、１５を有し、先端部に折り畳み式の足載せ台１６を備え、主フレーム３、３にはこれを跨がって背凭れ１８を設けている。【００１１】    主フレーム３、３の上向き延長部の先端は、介護者が車椅子を押すための取手１４となっている。又、主フレーム２、２上にはアームレスト１９が固定されている。【００１２】    本車椅子の座部１７の昇降機構は下記の如く構成される。図１に示すように座部１７が上昇した状態において昇降機構の構成を説明すると、主フレーム３、３の後部にはガイドプレート９、９が固定されており、このプレートを囲み、上下に自由にスライドするスライドボックス１０が一体としてある。【００１３】    スライドボックス１０には、これを昇降、固定させるためのロック機能を備えたチルトロック８が連結されている。【００１４】    また、スライドボックス１０の略中央部には大径後車輪５を回転保持する枢軸１１の固定金具１２が取り付け固定されている。【００１５】    本車椅子の昇降機構は以上の構成であるので、座部１７を下降させるには、まず介護者が遠隔操作によってチルトロック８のロックを解除する。使用者の体重がチルトロック８を縮める様に作用して縮み、連動してスライドボックスが上昇することで大径後車輪５が上昇し、結果、座部１７をはじめ車椅子全体が低い態勢となる。また、逆に座部１７を上昇させるにはチルトロック８を遠隔操作で解除し、取手１４を引き上げ大径後車輪５を引き下げロックさせるだけで良い。【００１６】    上記チルトロック８は、ピストンロット２２の略中央部のロックスプリング２３、２４は互いに逆方向巻の円筒形スプリングとなっており、それぞれ固定金具２５、２６で端が固定されている。ピストンロットのロック解除手段は、ロックスプリングのそれぞれの解放端が繋がる中央部の回転金具２７を、ロックスプリング２３、２４の巻方向と逆方向に取り付けたブラケット２８を通して、前記車椅子の取手１４に設けた操作レバー２９の遠隔操作索２１にて引っ張りロックを解除出来る。また、操作レバー２９を解放すると回転子２７がバネ圧で戻り、ロックスプリングが絞まりロック状態に復帰する。【００１７】    また、上記チルトロックの代わりに同様機能を有するガススプリングを使用しても良い。チルトロック、ガススプリング共に他用途の高さ調節用、傾斜角度調節等に使用されて公知のものであって、それぞれバネやガスオイルを利用したもので、それぞれ随意の位置でのロック機能がある。【００１８】    然して、車椅子で道路を移動する際には、図１に示す如く、車椅子の座部１７を高く���た状態で使用し、通常の車椅子と同様に使用者が手回しホイール７、７を回して走行できる。介護者が車椅子を押す場合も、取手１４、１４の位置が高いため、無理なく押すことができる。【００１９】    使用者を車椅子に載せたまま、ワンボックスカーに載せるには、まず介護者がロック解除手段２９を操作してチルトロック８のロックを解除する。車椅子使用者の体重がチルトロックを縮めるように作用するためチルトロック８は縮む。チルトロック８が縮むと図１の状態から、スライドボックス１０がガイドプレート９に沿って上昇して図２の状態になる。ガイドボックス１０が上昇すれば連動して大径後車輪５が上昇し、その分座部１７が下降し使用者の頭の位置は一層低くなる。上記状態で使用者を載せたまま車椅子をワンボックスカーに載せても、使用者の頭がワンボックスカーの天井に当たることはない。【００２０】    目的地に到着すれば、使用者を載せたまま車椅子をワンボックスカーから下ろし、介護者がロック解除手段２９によってチルトロック８のロックを解除し、取手１４を引き上げ、同時に大径後車輪５を引き下げることにより、座部が持ち上がり車椅子は元の高さに復帰する。以上、本発明の最良あるいは好適な実施例について説明したが、本発明は前記実施例に限定されることなく、本発明を逸脱しない範囲内において多くの変更が可能である。
【図面の簡単な説明】
【００２１】
【図１】  座部を高くした状態の車椅子の概略側面図である。
【図２】  座部を低くした状態の車椅子の概略側面図である。
【図３】  車椅子の概略後面図である。
【図４】  チルトロックの断面である。
【符号の説明】
【００２２】  １、２、３  主フレーム
４  補助フレーム
５  大径後車輪
６  小径前車輪
８  チルトロック
９  ガイドプレート
１０  スライドボックス
１１  大径後車輪回転枢軸枢軸
１６  足載せ台
１７  座部
１８  背凭れ
１９  アームレスト
【図１】
2005161001.tif 000003
【図２】
2005161001.tif 000004
【図３】
2005161001.tif 000005
【図４】
2005161001.tif 000006